(57)【要約】【課題】自然排水を行う床置き形空気調和機の構成を変更することなく、燃焼系暖房機の設置時に形成された壁の穴を利用して空気調和機のドレン排水を行うことができる床置き形空気調和機の据付器具を提供する。【解決手段】床置き形空気調和機の据付器具２０は、上部に床置き形空気調和機１が載置され、内部に床置き形空気調和機１から排出されたドレン水を壁の穴まで汲み上げるドレンアップ機器１０を収納するための中空部２２ａが形成された載置台２１と、壁に固定され、載置台２１に載置された床置き形空気調和機１を背面側において支持する支柱部材３１とを備える。【選択図】図２
2015099006.tif 000002
【特許請求の範囲】
【請求項１】
既設穴が開けられた壁に床置き形空気調和機を固定する床置き形空気調和機の据付器具であって、
上部に前記床置き形空気調和機が載置され、前記床置き形空気調和機から排出されたドレン水をドレンホースを介して壁の既設穴まで汲み上げるドレンアップ機器を内部に収納するための中空部が形成された載置台と、
壁に固定され、前記載置台に載置された前記床置き形空気調和機を背面側において支持する支柱部材と
を備え、
前記載置台は、前記中空部が形成され、前記床置き形空気調和機の前面側に前記中空部に通じる開口部を有するフレームと、前記フレームの前記開口部を覆うように、前記フレームに着脱可能に取り付けられた前面カバーとを備え、
前記フレームは、上側フレームと、下側ベースと、前記上側フレームと前記下側ベースとにそれぞれ固定される支柱とを備え、背面側において、前記下側ベースと壁との間に隙間が形成される形状に変形可能な構造を有するものであり、
前記前面カバーの壁側の側端の一部には、前記下側ベースと壁との隙間が開口するように折り曲げ自在な折曲片が設けられている
ことを特徴とする床置き形空気調和機の据付器具。
【請求項２】
前記下側ベースの背面側には、切断可能な切断部が設けられており、前記切断部の有無により前記下側ベースと壁との間に隙間が形成される形状に変形するものであることを特徴とする請求項１に記載の床置き形空気調和機の据付器具。
【請求項３】
前記支柱部材に着脱可能に取り付けられるものであって、前記床置き形空気調和機と壁との隙間を覆う板状の背面カバーをさらに有することを特徴とする請求項１又は２に記載の床置き形空気調和機の据付器具。
【請求項４】
前記ドレンアップ機器は、前記床置き形空気調和機の幅方向の一側面に設けられたドレン流入口と、前記床置き形空気調和機の幅方向の他側面に設けられたドレン水排出口とを有するものであり、
前記載置台は、前記床置き形空気調和機の前面側に開口部を有することを特徴とする請求項１〜３のいずれか１項に記載の床置き形空気調和機の据付器具。
【請求項５】
既設穴が開けられた壁に固定される床置き形空気調和機と、
前記床置き形空気調和機から排出されたドレン水をドレンホースを介して壁の既設穴まで汲み上げるドレンアップ機器と、
前記床置き形空気調和機が載置されるとともに前記ドレンアップ機器を収納する請求項１〜４のいずれか１項に記載の床置き形空気調和機の据付器具と
を備えたことを特徴とする空気調和システム。
【発明の詳細な説明】
【技術分野】
【０００１】
本発明は、床に設置される床置き形空気調和機の据付器具及びこれを用いた空気調和システムに関するものである。
【背景技術】
【０００２】
従来から、床に設置するヒートポンプ式の床置き形空気調和機が知られている。一般的に、床置き形空気調和機には室内機の下側からドレン水を排出する自然排水が採用されている。また、上述したヒートポンプ式の空気調和機の他に、例えばクリーンヒーター等のようなガスを燃焼して暖房運転を行う床置き形の燃焼系暖房機が知られている。この燃焼系暖房機が室内に設置される際、ガスの燃焼時に排出される煙を屋外へ排出するために家屋等の壁に穴が開けられ、この穴を介して燃焼系暖房機の煙が屋外へ排出されるようになっている。
【０００３】
上述した床置き形の燃焼系暖房機からヒートポンプ式の床置き形空気調和機へ買い替える際、ドレン水を排出するための穴を設ける必要がある。排気用の穴はドレン排水用の穴に比べて高い位置に形成されることが多いため排気用の穴にはドレン水を自然排水することができない。このため、排気用の穴の他に新たにドレン排水用の穴を開ける必要がある。ここで、既に開けられている既設穴（排気穴）を利用してドレン水を屋外に排出する空気調和機が提案されている（例えば特許文献１参照）。特許文献１には、室内機の筐体の下部にドレンポンプが設けられており、筐体の背面側（壁側）に接続配管やドレンポンプが引き回せるスペースが形成された床置き形室内機が開示されている。そして、ドレンポンプによりドレン水が穴の形成位置まで引き上げられ、穴から強制的にドレン水が排出されるようになっている。
【先行技術文献】
【特許文献】
【０００４】
【特許文献１】特開２００９−６３２１３号公報（第５頁、第３図）
【発明の概要】
【発明が解決しようとする課題】
【０００５】
ところで、床置き形空気調和機を買い替えではなく新規に設置する場合、自然排水に適した穴等を壁に設ければよいため、特許文献１のような室内機に搭載されたドレンアップ機能は不要になる。このような場合、ドレンアップ機能を搭載した床置き形空気調和機は不要な機能を追加したために外形寸法が大きくなるとともに、製造コストが増えてしまう。一方、通常設置用の床置き形空気調和機とドレンアップ機能を搭載した買い替え専用の床置き形空気調和機との双方を作製することは却って負担が大きくなってしまう。
【０００６】
本発明は、上記のような問題点を解決するためになされたものであり、自然排水を行う床置き形空気調和機の構成を変更することなく、燃焼系暖房機の設置時に形成された壁の既設穴を利用して空気調和機のドレン排水を行うことができる床置き形空気調和機の据付器具及びこれを用いた空気調和システムを提供することを目的としている。
【課題を解決するための手段】
【０００７】
本発明の空気調和機の据付器具は、既設穴が開けられた壁に床置き形空気調和機を固定する床置き形空気調和機の据付器具であって、上部に床置き形空気調和機が載置され、床置き形空気調和機から排出されたドレン水をドレンホースを介して壁の既設穴まで汲み上げるドレンアップ機器を内部に収納するための中空部が形成された載置台と、壁に固定され、載置台に載置された床置き形空気調和機を背面側において支持する支柱部材とを備え、載置台は、中空部が形成され、床置き形空気調和機の前面側に中空部に通じる開口部を有するフレームと、フレームの開口部を覆うように、フレームに着脱可能に取り付けられた前面カバーとを備え、フレームは、上側フレームと、下側ベースと、上側フレームと下側ベースとにそれぞれ固定される支柱とを備え、背面側において、下側ベースと壁との間に隙間が形成される形状に変形可能な構造を有するものであり、前面カバーの壁側の側端の一部には、下側ベースと壁との隙間が開口するように折り曲げ自在な折曲片が設けられたものである。
【発明の効果】
【０００８】
本発明の床置き形空気調和機の据付器具によれば、上部に床置き形空気調和機を設置し、下部にドレンアップ機器を収容することができるため、設置固定タイプの燃焼系暖房機からヒートポンプ式の空気調和機への置き換えを行う際、置換用の専用の構成を有する空気調和機を用いることなく、通常設置用の床置き形空気調和機を用いて置き換えることができる。
【図面の簡単な説明】
【０００９】
【図１】本発明の床置き形空気調和機の据付器具及びこれを用いた空気調和システムの実施形態１を示す斜視図である。
【図２】図１の床置き形空気調和機の据付器具の一例を示す分解斜視図である。
【図３】図１の床置き形空気調和機の据付器具の一例を示す断面図である。
【図４】図２のドレンアップ機器の一例を示す斜視図である。
【図５】図２のドレンアップ機器の一例を示す斜視図である。
【図６】図２のドレンアップ機器の一例を示す斜視図である。
【図７】本発明の床置き形空気調和機の据付器具の実施形態２を示す斜視図である。
【図８】本発明の床置き形空気調和機の据付器具の実施形態２を示す斜視図である。
【図９】図７及び図８の床置き形空気調和機の据付器具における開口部を示す平面図である。
【図１０】本発明の床置き形空気調和機の据付器具の実施形態３を示す模式図である。
【図１１】図１０の床置き形空気調和機の据付器具における載置台を示す分解図である。
【図１２】図１１の載置台におけるフレームを示す分解図である。
【図１３】図１２のフレームを組み立てる様子を示す斜視図である。
【図１４】図１２のフレームを組み立てる様子を示す斜視図である。
【図１５】壁面に巾木がない場合の据付器具に床置き形空気調和機が載置された様子を示す側面図である。
【図１６】壁面に巾木がある場合の据付器具に床置き形空気調和機が載置された様子を示す側面図である。
【図１７】図１１のフレームにおける下側ベースの一例を示す模式図である。
【図１８】巾木がある場合の支柱の取付位置を示す模式図である。
【図１９】図１６の据付器具における前面カバーの一例を示す模式図である。
【図２０】図１６の前面カバーの折曲片を折り曲げた状態を示す模式図である。
【発明を実施するための形態】
【００１０】
実施形態１．
以下、図面を参照しながら床置き形空気調和機の据付器具及びこれを用いた空気調和システムの実施形態について説明する。図１は、本発明の床置き形空気調和機及びこれを用いた空気調和システムの据付器具の実施形態１を示す斜視図、図２は、図１の床置き形空気調和機の据付器具の一例を示す分解斜視図、図３は図１の床置き形空気調和機の据付器具の一例を示す断面図である。図１から図３の床置き形空気調和機の据付器具２０は、燃焼系暖房機から床置き形空気調和機１への買い替え時に、燃焼系暖房機用に壁に開けられた既設穴Ｈをドレン排水用の穴として利用することができるように、床置き形空気調和機１及びドレンアップ機器１０を設置するものである。
【００１１】
図１から図３を参照して、床置き形空気調和機１について説明する。床置き形空気調和機１は、筐体２内に熱交換器３及びファン４が収容された構造を有している。熱交換器３は、例えばフィンチューブ式の熱交換器からなっており、図示しない室外機に接続されている。ファン４は、熱交換器３に送風を行うものであって、例えばシロッコファンから構成されている。ここで、筐体２の前面には室内空気を吸い込む吸込口２ａが設けられており、筐体２の上部には空気の吹出口２ｂが設けられている。そして、ファン４が駆動することにより、吸込口２ａから室内空気が筐体２内へ吸い込まれ熱交換器３に送風される。熱交換器３において室外機から流入する冷媒と室内空気との間で熱交換が行われて室内の暖房もしくは冷房が行われる。
【００１２】
さらに、床置き形空気調和機１は、熱交換器３の下部に設けられ、冷房運転時に熱交換器３において発生したドレン水を貯留するドレンパン５を有している。ドレンパン５には貯留されたドレン水を排出する穴が形成されており、この穴にはドレンホースＰ１が接続されている。そして、ドレンパン５に貯留されたドレン水は重力により穴からドレンホースＰ１内に流れ込み、床置き形空気調和機１とは別の機器であるドレンアップ機器１０側へ流れる。
【００１３】
図４から図６はドレンアップ機器１０の一例を示す斜視図であり、図１から図６を参照してドレンアップ機器１０について説明する。ドレンアップ機器１０は、床置き形空気調和機１から流出したドレン水を壁に設けられた既設穴Ｈまでくみ上げて排出するものであって、ドレン流入口１２及びドレン排出口１６が形成された直方体形状のハウジング１１を有している。
【００１４】
ドレン流入口１２は、ハウジング１１の床置き形空気調和機１の幅方向（矢印Ｘ方向）の一側面１１ａ側に形成されており、ドレン排出口１６は幅方向（矢印Ｘ方向）の他側面１１ｂ側に形成されている。ドレン排出口１６には、ドレンホースＰ２が接続されており、ドレンホースＰ２は既設穴Ｈを通って屋外に延びている。ハウジング１１内にはドレンパン１３及びドレンポンプ１４が収容されている。ドレンパン１３は、ハウジング１１の底部に設けられており、ドレン流入口１２から流れたドレン水を貯留するものである。ドレンポンプ１４はドレンパン１３に貯留されたドレン水をドレンパイプ１５を介してドレン排出口１６側へ送り出すものである。
【００１５】
そして、床置き形空気調和機１からドレンホースＰ１を介して流れてきたドレン水は、ドレン流入口１２から流れ込み、ハウジング１１内のドレンパン１３に溜められる。その後、ドレンパン１３のドレン水はドレンポンプ１４の作動により汲み上げられ、ドレンパイプ１５を経由してドレン排出口１６側へ送水される。ドレン排出口１６から流出したドレン水は、ドレンホースＰ２を介して床からの高さ位置ＨＨに形成された既設穴Ｈまで汲み上げられて屋外へ排出される。
【００１６】
このように、床置き形空気調和機１は、ドレン水の自然排水を行う構造を有しており、筐体２内にはドレンアップ機能は搭載されていない。よって、既設穴Ｈをドレン排水用の穴として利用するためには、既設穴Ｈの高さ位置ＨＨまでドレン水を汲み上げるために、ドレンアップ機器１０が設置される。この際に、図１〜図３において、既設穴Ｈを利用する際に、床置き形空気調和機１とドレンアップ機器１０とは据付器具２０を用いて室内に設置される。
【００１７】
図１〜図３の床置き形空気調和機１の据付器具２０は、載置台２１及び支柱部材３１を備えている。載置台２１は、上部に床置き形空気調和機１が載置されるものであって、上部に固定された板状部材を備えた略直方体のフレーム２２と、フレーム２２の正面及び左右の側面を覆う前面カバー２３とを備えている。フレーム２２の内部には中空部２２ａが形成されており、中空部２２ａはドレンアップ機器１０が収納できる大きさを有している。なお、ドレンアップ機器１０は中空部２２ａ内において床に設置される場合について例示しているが、フレーム２２に底板が設けられており、ドレンアップ機器１０がフレーム２２上に載置されるものであってもよい。
【００１８】
支柱部材３１は、床置き形空気調和機１を壁に固定するものであって、奥行き方向（矢印Ｙ方向）に突出するように壁に固定されている。そして、支柱部材３１と床置き形空気調和機１の背面とはネジ等で固定されている。なお、支柱部材３１の長さ分だけ床置き形空気調和機１の背面と壁との間に隙間が形成され、隙間がドレンホースＰ２の配管スペースになる。また、壁と支柱部材３１との間には、支柱部材３１には板状の背面カバー（意匠プレート）３２、３３が上記隙間を覆うように固定されている。このように、背面カバー３２、３３が支柱部材３１に取り付けられることにより、ドレンホースＰ１、Ｐ２が外部から見えなくし、意匠性を向上させることができる。
【００１９】
上記実施形態１によれば、据付器具２０が、上部に床置き形空気調和機１を壁に固定するとともに、床置き形空気調和機１の直下にドレンアップ機器１０を収容する載置台を有することにより、設置固定タイプの燃焼系暖房機から容易に置き換えることができる。すなわち、従来のように、既設穴Ｈを利用するために置き換え専用の床置き形空気調和機１を用いなくても、通常設置用の床置き形空気調和機１を用いて燃焼系暖房機からの置き換えを行うことができる。また、載置台２１の中空部２２ａ内にドレンアップ機器１０が収容されるため、ドレンアップ機器１０が外観上見えることがなく、意匠性が向上する。
【００２０】
さらに、壁と床置き形空気調和機１との間に背面カバー３２、３３が設けられていることにより、ドレンアップ機器１０から既設穴Ｈへ延びるドレンホースＰ２が背面カバー３２、３３により隠れるため、意匠性を向上させることができる。特に、支柱部材３１と背面カバー３２、３３とが分割されていることにより、据付時やサービス時に支柱部材３１から背面カバー３２、３３を外してドレンホースＰ２の配置を調整することができる。さらに、背面カバー３２、３３が両側面及び上方の３つの部品に分かれているため、梱包時の体積を小さくすることができる。
【００２１】
実施形態２．
図７及び図８は本発明の床置き形空気調和機の据付器具の実施形態２を示す模式図であり、図７及び図８を参照して据付器具１２０について説明する。なお、図７及び図８の据付器具１２０において、図１から図６の床置き形空気調和機１の据付器具２０と同一の構成を有する部位には同一の符号を付してその説明を省略する。図７及び図８の床置き形空気調和機１の据付器具１２０が図１から図６の床置き形空気調和機の据付器具２０と異なる点は、前面カバー２３がフレーム２２に対し着脱可能に取り付けられている点である。
【００２２】
具体的には、略直方体のフレーム２２は、前面側に開口部１２２ｘを有しており、開口部１２２ｘは前面カバー２３により覆われている。この前面カバー２３は、フレーム２２に対しネジ止め等により着脱可能に取り付けられている。また、フレーム２２の開口部１２２ｘの高さ及び幅は、ドレンアップ機器１０の高さ及び幅よりも大きく設定されており、開口部１２２ｘからフレーム２２内へドレンアップ機器１０の収納及び取出ができるようになっている。
【００２３】
ここで、図９は、図７及び図８の床置き形空気調和機の据付器具における開口部を示す平面図である。図９に示すように、ドレンアップ機器１０は、床置き形空気調和機１の幅方向（矢印Ｘ方向）の一側面側（右側）にドレン流入口１２が設けられており、他面側（左側）にドレン排出口１６が設けてられている。また、ドレン流入口１２には、床置き形空気調和機のドレンホースＰ１が接続され、ドレン排出口１６には屋外に延びるドレンホースＰ２が接続されている。
【００２４】
これにより、ドレンアップ機器１０のサービス時又は部品の交換作業等のメンテナンス時において、作業者はドレンアップ機器１０からドレンホースＰ１、Ｐ２を取り外す作業を開口部１２２ｘを通して行い、その後ドレンアップ機器１０を開口部１２２ｘから取り出すことができる。このため、床置き形空気調和機１を移動することなく、ドレンアップ機器１０のみ引き出して部品交換等を行うことができる。この際、ドレンアップ機器１０及びドレンホースＰ１、Ｐ２が配置されているため、サービス時などのメンテナンスにおいてドレンアップ機器１０とドレンホースＰ１、Ｐ２との接続作業が容易となり、メンテナンス性を向上させることができる。
【００２５】
実施形態３．
図１０は本発明の床置き形空気調和機の据付器具の実施形態３を示す模式図であり、図１０及び図１１を参照して載置台２２１について説明する。なお、図１０及び図１１の載置台２２１において、図１から図９の床置き形空気調和機１の据付器具２０、１２０と同一の構成を有する部位には同一の符号を付してその説明を省略する。図１０及び図１１の床置き形空気調和機１の据付器具２２０が図１〜図９の床置き形空気調和機の据付器具２０、１２０と異なる点は、載置台２２１の構造である。
【００２６】
図１１は図１０の床置き形空気調和機の据付器具における載置台を示す分解図、図１２は図１１の載置台におけるフレームを示す分解図である。図１１及び図１２に示すように、載置台２２１は、前面カバー２３０及びフレーム２４０を有している。前面カバー２３０は、フレーム２４０の正面及び側面を覆う形状を有し、意匠面として機能している。フレーム２４０の正面の上部において、中央には１つのＵ字の切り欠き２３０ａが形成され、左右両側にはそれぞれ１つの固定穴２３０ｂが形成されている。一方、フレーム２４０（上側ベース２４１）の正面における中央部と左右両側には、固定穴２４０ａが３つ備えられている。そして、フレーム２４０側の切り欠き２３０ａ及び固定穴２３０ｂと、フレーム２４０側の固定穴２４０ａとが位置合わせした状態でネジ等の固定部材が挿入されることにより、前面カバー２３０がフレーム２４０に固定される。
【００２７】
フレーム２４０は、中空部２２ａが形成され、床置き形空気調和機１の前面側に中空部２２ａに通じる開口部２４０ｘを有するものであって、上側ベース２４１、下側ベース２４２、４つの支柱２４３を備えている。上側ベース２４１及び下側ベース２４２の四隅に支柱２４３が位置決めされ、支柱２４３の上部に上側ベース２４１が固定され支柱２４３の下部に下側ベース２４２が固定されることにより、フレーム２４０が組み立てられる。
【００２８】
上側ベース２４１は、背面側が開放された枠状に形成されており、上面から正面及び側面に屈曲した形状を有している。そして、上側ベース２４１の正面には、上述した固定穴２４０ａが形成されており、側面には複数の組立穴２４１ａ〜２４１ｃが形成されている。このうち、組立穴２４１ａは、上側ベース２４１の正面側に設けられており、組立穴２４１ｂ、２４１ｃは上側ベース２４１の背面側に奥行き方向（矢印Ｙ方向）に並んで設けられている。
【００２９】
下側ベース２４２は、例えば鉄板等からなっており、矩形状に形成されている。下側ベース２４２には、ドレンアップ機器１０を固定するための固定片２４２ｘが切り起こし等により形成されている。また、下側ベース２４２は、両側端が折り曲げられて形成された側面を有しており、この両側面には複数の組立穴２４２ａ〜２４２ｃが形成されている。このうち、組立穴２４２ａは、下側ベース２４２の正面側に設けられており、組立穴２４２ｂ、２４２ｃは下側ベース２４２の背面側に奥行き方向（矢印Ｙ方向）に並んで設けられている。
【００３０】
支柱２４３は、上部に上側ベース２４１が固定され、下部に下側ベース２４２が固定されるものであって、上側ベース２４１及び下側ベース２４２を固定するための組立穴２４３ａが上部及び下部にそれぞれ形成されている。支柱２４３は、上側ベース２４１及び下側ベース２４２の四隅に取り付けられることにより、上側ベース２４１、下側ベース２４２及び支柱２４３により囲まれた中空部２２ａが形成されるとともに、正面側に開口部２４０ｘが形成される。そして、この中空部２２ａ内にドレンアップ機器１０が収容されることになる。
【００３１】
図１３及び図１４は図１２のフレームを組み立てる様子を示す斜視図である。図１３に示すように、上側ベース２４１の組立穴２４１ａ及び下側ベース２４２の組立穴２４２ａと支柱２４３の組立穴２４３ａとがそれぞれ位置合わせされる。同様に、上側ベース２４１の組立穴２４１ｃ及び下側ベース２４２の組立穴２４２ｃと支柱２４３の組立穴２４３ａとが位置合わせされる。そして、図１４に示すように、ネジ２５０が上側ベース２４１の組立穴２４１ａ、２４１ｃと支柱２４３の組立穴２４３ａとに挿入されるとともに、下側ベース２４２の組立穴２４１ａ、２４１ｃと支柱２４３の組立穴２４３ａとに挿入され、フレーム２４０が組み立てられる。
【００３２】
ここで、図１５は壁面に巾木がない場合の据付器具に床置き形空気調和機が載置された様子を示す側面図である。図１５に示すように、壁ＷＬに巾木ＢＢがない場合、図１０〜図１４のように組み立てられた通常の載置台２２１を用いて壁ＷＬに隙間なく床置き形空気調和機１を載置することができる。
【００３３】
一方、図１６は壁面に巾木がある場合の据付器具に床置き形空気調和機が載置された様子を示す側面図である。図１６に示すように、巾木ＢＢがある場合、図１０〜図１４の通常の載置台２２１を用いたときには、床置き形空気調和機１は巾木ＢＢの厚さ分だけ壁ＷＬから離れて設置された状態になってしまう。そこで、図１６に示すように、載置台２２１は、巾木ＢＢがある場合であっても、巾木ＢＢを挿入するための隙間が形成され、床置き形空気調和機を壁ＷＬに隙間なく設置できるようになっている。
【００３４】
図１７は、図１１のフレームにおける下側ベースの一例を示す模式図である。図１７に示すように、フレーム２４０は、背面側において、下側ベース２４２と壁ＷＬとの間に隙間が形成される形状に変形可能な構造を有している。具体的には、下側ベース２４２は、奥側（壁ＷＬ側）に位置する部位に切断部２４２ｒが設けられている。切断部２４２ｒと下側ベース２４２の本体との間には複数のスリット２４２ｓが直線状に形成されており、スリット２４２ｓ同士の間には複数の接続部２４２ｔが設けられている。切断部２４２ｒが例えば２箇所設けられており、左右下面側に２箇所ずつ設けられている。
【００３５】
図１８は巾木がある場合の支柱の取付位置を示す模式図である。壁ＷＬの最下部に巾木ＢＢが有る場所に設置する際（図１６参照）、下側ベース２４２の切断部２４２ｒが切断される。さらに、壁ＷＬ側の支柱２４３が手前側に移動して、支柱２４３の組立穴２４３ａと上側ベース２４１及び下側ベース２４２の組立穴２４１ｂ、２４２ｂとが位置合わせされる。そして、各組立穴２４１ｂ、２４２ｂ、組立穴２４３ａにネジ２５０が挿入され、上側ベース２４１及び下側ベース２４２と支柱２４３とが固定される。すると、上側ベース２４１が下側ベース２４２よりも切断部２４２ｒの分だけ突出した状態になり、その結果、下側ベース２４２と壁ＷＬとの間には隙間が形成された状態になる。
【００３６】
図１９は、図１６の据付器具における前面カバーの一例を示す模式図である。図１９の前面カバー２３０は、壁ＷＬ側の側端の一部に、下側ベース２４２と壁ＷＬとの隙間が開口するように折り曲げ自在な折曲片２３１が設けられている。折曲片２３１は複数の接続部２３１ａにより側面に接続されているとともに、各接続部２３１ａの間には複数のスリット２３１ｂが形成されている。なお、図１７においては、接続部２３１ａが３カ所設けられており、その間にスリット２３１ｂが形成されている。
【００３７】
図２０は図１６の前面カバーの折曲片を折り曲げた状態を示す模式図である。図２０に示すように、巾木ＢＢがある場合には、折曲片２３１が前面カバー２３０の裏面側に１８０°折り曲げられる。この状態の前面カバー２３０が、下側ベース２４２と壁ＷＬとの間には隙間が形成されたフレーム２４０に取り付けられる。この際、下側ベース２４２の切断部２４２ｒがあった部位は、前面カバー２３０に覆われて前面カバー２３０の内側に位置することになる。すると、下側ベース２４２と壁ＷＬとの隙間が開口し、載置台２２１に巾木ＢＢが挿入される空間が形成されることになる（図１６参照）。
【００３８】
上記実施形態３によれば、載置台２２１の壁ＷＬ側には、巾木ＢＢが挿入される隙間が形成されることになる。巾木ＢＢを避けることが可能となる。また、壁ＷＬの最下部に巾木ＢＢが無い場所に設置する際には、上記のような加工を行わないで設置することが可能である。よって、壁ＷＬの最下部に巾木ＢＢがあるかないかを問わず、いずれの場合であっても床置き形空気調和機１を壁ＷＬに隙間なく設置することができる。すなわち、設置場所の状況に応じて、巾木ＢＢを避けることが可能となり、載置台２２１と壁ＷＬの最下部に生じる隙間を塞ぐことができるため、意匠性を改善することができる。
【００３９】
また、フレーム２４０の下側ベース２４２にある切断部２４２ｒは前面カバー２３０の内側に位置し、前面カバー２３０の折曲片２３１は内側に折り曲げられることにより、加工を施すことにより生じるエッジ部分が人の手に触れる箇所に出ないため、ケガをする恐れがなく安全性が確保される。
【００４０】
なお、実施形態３において、折曲片２３１は接続部２３１ａ及びスリット２３１ｂにより折り曲げ可能に設けられている場合について例示しているが、折り曲げ加工が可能な構造であればこの構成に限定されず、種々の公知の技術を用いることができる。また、切断部２４２ｒは、複数の接続部２３１ａにより切断可能に接続されている場合について例示しているが、施工時に切断可能な構造であれば上記構造に限定されず、種々の公知の技術を用いることができる。
【符号の説明】
【００４１】
１  床置き形空気調和機、２  筐体、２ａ  吸込口、２ｂ  吹出口、３  熱交換器、４  ファン、５  ドレンパン、１０  ドレンアップ機器、１１  ハウジング、１１ａ  一側面、１１ｂ  他側面、１２  ドレン流入口、１３  ドレンパン、１４  ドレンポンプ、１５  ドレンパイプ、１６  ドレン排出口、２０、１２０、２２０  据付器具、２１、２２１  載置台、２２、２４０  フレーム、２２ａ  中空部、２３、２３０  前面カバー、３１  支柱部材、３２、３３  背面カバー、１２２ｘ、２４０ｘ  開口部、２３０ａ  切り欠き、２３０ｂ  固定穴、２３１  折曲片、２３１ａ  接続部、２３１ｂ  スリット、２４０ａ  固定穴、２４１  上側ベース、２４１ａ〜２４１ｃ  組立穴、２４２  下側ベース、２４２ａ〜２４２ｃ  組立穴、２４２ｒ  切断部、２４２ｓ  スリット、２４２ｔ  接続部、２４２ｘ  固定片、２４３  支柱、２４３ａ  組立穴、２５０  ネジ、ＢＢ  巾木、ＷＬ  壁、Ｈ  既設穴、ＨＨ  高さ位置、Ｐ１、Ｐ２  ドレンホース。
【図１】
2015099006.tif 000003
【図２】
2015099006.tif 000004
【図３】
2015099006.tif 000005
【図４】
2015099006.tif 000006
【図５】
2015099006.tif 000007
【図６】
2015099006.tif 000008
【図７】
2015099006.tif 000009
【図８】
2015099006.tif 000010
【図９】
2015099006.tif 000011
【図１０】
2015099006.tif 000012
【図１１】
2015099006.tif 000013
【図１２】
2015099006.tif 000014
【図１３】
2015099006.tif 000015
【図１４】
2015099006.tif 000016
【図１５】
2015099006.tif 000017
【図１６】
2015099006.tif 000018
【図１７】
2015099006.tif 000019
【図１８】
2015099006.tif 000020
【図１９】
2015099006.tif 000021
【図２０】
2015099006.tif 000022